(57)【要約】  【課題】  ファイル共有の利便性を維持しつつ無許可のユーザに無断で印刷されるといったことを防止できる印刷システムおよび印刷装置を提供すること。  【解決手段】  画像形成装置３０において、（i）端末装置２０からの印刷の実行指示が受付けられると、印刷されようとしているファイルの作成者と、印刷を指示した指示者とが同一か否かが判断される。同一と判断されると、画像形成装置３０において印刷が実行される。同一でないと判断されると、（ii）画像形成装置３０から、作成者に供される端末装置１０に印刷の許可を求める印刷許可要求メールが送られる。作成者は、（iii）端末装置１０において印刷の許否を返答メールで画像形成装置３０に伝えることができる。返答メールが送られると、画像形成装置３０では、返答メールに印刷許可が示される場合に印刷を実行し、不許可が示される場合には印刷を実行しない。【選択図】  図１
2006110911.tif 000002
【特許請求の範囲】
【請求項１】
印刷装置と少なくとも１つの端末装置とがネットワークを介して接続される印刷システムであって、
前記印刷装置は、
印刷に供されるデータに、当該印刷を許可されている許可者に関する第１の情報が付随されたファイルを取得する第１の取得手段と、
前記ファイルに対する印刷の指示者に関する第２の情報を取得する第２の取得手段と、
印刷手段と、
取得された第１と第２の情報に基づいて、前記印刷の許否を判断し、許可しないことを判断すると前記印刷手段に前記印刷を実行させず、前記少なくとも１つの端末装置の内の前記許可者に供される端末装置に印刷許可を要求する制御手段と、
を備えることを特徴とする印刷システム。
【請求項２】
前記許可者に供される端末装置は、
前記印刷装置からの許可要求を受付ける第１の受付手段と、
前記許可要求に対する返答を返信する返信手段とを備え、
前記印刷装置は、
前記返答を受付ける第２の受付手段を備え、
前記制御手段は、返答が印刷の許可を示すものである場合には、前記印刷手段に前記印刷を実行させることを特徴とする請求項１に記載の印刷システム。
【請求項３】
前記制御手段は、前記返答が印刷の許可を示さないものである場合には、前記ファイルを破棄することを特徴とする請求項２に記載の印刷システム。
【請求項４】
前記第１の情報には、前記許可者を特定するための第１の識別情報と当該許可者に供される端末装置のアドレスが含まれ、
前記第２の情報には、前記指示者を特定するための第２の識別情報が含まれ、
前記制御手段は、前記第１と第２の識別情報から前記指示者と許可者が同一人であるか否かを判断し、同一人でないと判断すると、前記印刷を許可しないとして前記印刷許可を前記アドレスで示される宛先に要求することを特徴とする請求項１乃至３のいずれか１項に記載の印刷システム。
【請求項５】
前記第１および第２の情報は、暗号化されており、
前記制御手段は、前記暗号化された第１および第２の情報を復号化する復号化手段を備えていることを特徴とする請求項１乃至４のいずれか１項に記載の印刷システム。
【請求項６】
前記制御手段は、前記印刷許可を第１の電子メールを用いて要求し、
前記第１の受付手段は、前記第１の電子メールにより前記許可要求を受付け、
前記返信手段は、前記返答を第２の電子メールを用いて返信し、
前記第２の受付手段は、前記第２の電子メールにより前記返答を受付けることを特徴とする請求項２乃至５のいずれか１項に記載の印刷システム。
【請求項７】
少なくとも１つの端末装置とネットワークを介して接続される印刷装置であって、
印刷に供されるデータに、当該印刷を許可されている許可者に関する第１の情報が付随されたファイルを取得する第１の取得手段と、
前記ファイルに対する印刷の指示者に関する第２の情報を取得する第２の取得手段と、
印刷手段と、
取得された第１と第２の情報に基づいて、前記印刷の許否を判断し、許可しないことを判断すると前記印刷手段に前記印刷を実行させず、前記少なくとも１つの端末装置の内の前記許可者に供される端末装置に印刷許可を要求する制御手段と、
を備えることを特徴とする印刷装置。
【請求項８】
前記端末装置からの、前記印刷許可の要求に対する返答を受付ける受付手段を備え、
前記制御手段は、返答が印刷の許可を示すものである場合には、前記印刷手段に前記印刷を実行させることを特徴とする請求項７に記載の印刷装置。
【発明の詳細な説明】
【技術分野】
【０００１】
本発明は、印刷システムおよび印刷装置に関する。
【背景技術】
【０００２】
近年、ＬＡＮ等のネットワークに、複数のＰＣ（パーソナルコンピュータ）等の端末装置、プリンタ、サーバ等を接続し、各ＰＣにて作成された文書等のファイルをサーバに蓄積すると共に蓄積されたファイルを各ユーザが共有して閲覧、印刷等を行うことが可能な印刷システムが普及している。
このような印刷システムでは、ファイルを共有できる点で大変便利であるが、その一方でユーザの中には、自己の作成したファイルについては、例えば印刷を特定のユーザにだけ許可したいと考えるユーザもあり、そのような要望に対応するためには、各ユーザからのアクセスを必要に応じて制限する必要が生じる。そこで、例えば特許文献１には、サーバがユーザ毎にアクセス権を管理し、印刷を行おうとするユーザにアクセス権がなければ印刷を許可しない印刷システムが開示されている。
【特許文献１】特開平６−２１４８６２号公報
【発明の開示】
【発明が解決しようとする課題】
【０００３】
しかしながら、上記印刷システムは、サーバがアクセス権を一括管理するため、例えばあるファイルがアクセス権を有するユーザＡのＰＣにダウンロードされ、そのファイルが当該サーバの管理対象外の別のユーザＢのＰＣに転送され、さらに別のユーザＣに渡されるというようにサーバの管理対象から外れると、もはや当該ファイルに対するアクセス権は管理されていない状態になり、ユーザＢ、Ｃ等がアクセス権を有していなくてもユーザＢ等に印刷が自由に行われることになってしまう。
【０００４】
そうなると、当該ファイルの作成者の意図に反するばかりか、当該作成者は自己のファイルが誰に無断で印刷されて利用されているのかが判らなくなり、ファイル管理を適正に行うことができない。
本発明は、上記の問題点に鑑みてなされたものであって、ファイル共有の利便性を維持しつつ無許可のユーザに無断で印刷されるといったことを防止できる印刷システムおよび印刷装置を提供することを目的としている。
【課題を解決するための手段】
【０００５】
上記目的を達成するため、本発明に係る印刷システムは、印刷装置と少なくとも１つの端末装置とがネットワークを介して接続される印刷システムであって、前記印刷装置は、印刷に供されるデータに、当該印刷を許可されている許可者に関する第１の情報が付随されたファイルを取得する第１の取得手段と、前記ファイルに対する印刷の指示者に関する第２の情報を取得する第２の取得手段と、印刷手段と、取得された第１と第２の情報に基づいて、前記印刷の許否を判断し、許可しないことを判断すると前記印刷手段に前記印刷を実行させず、前記少なくとも１つの端末装置の内の前記許可者に供される端末装置に印刷許可を要求する制御手段と、を備えることを特徴とする。
【０００６】
ここで、前記第１の情報には、許可者を特定するための識別情報として、例えば当該許可者自身の識別コード等が含まれるとしても良いし、または当該許可者に供される端末装置の識別コード等が含まれるとすることもできる。さらに、不許可のユーザの識別コード等が含まれるとしても良い。この場合、当該不許可のユーザ以外のユーザを許可者とすることで、許可者を特定することが可能になる。
【０００７】
前記第２の情報には、指示者を特定するための識別情報として、例えば当該指示者自身の識別コード等が含まれるとしても良いし、または当該指示者に供される端末装置の識別コード等が含まれるとすることもできる。
また、前記許可者に供される端末装置は、前記印刷装置からの許可要求を受付ける第１の受付手段と、前記許可要求に対する返答を返信する返信手段とを備え、前記印刷装置は、前記返答を受付ける第２の受付手段を備え、前記制御手段は、返答が印刷の許可を示すものである場合には、前記印刷手段に前記印刷を実行させることを特徴とする。
【０００８】
さらに、前記制御手段は、前記返答が印刷の許可を示さないものである場合には、前記ファイルを破棄することを特徴とする。
また、前記第１の情報には、前記許可者を特定するための第１の識別情報と当該許可者に供される端末装置のアドレスが含まれ、前記第２の情報には、前記指示者を特定するための第２の識別情報が含まれ、前記制御手段は、前記第１と第２の識別情報から前記指示者と許可者が同一人であるか否かを判断し、同一人でないと判断すると、前記印刷を許可しないとして前記印刷許可を前記アドレスで示される宛先に要求することを特徴とする。
【０００９】
さらに、前記第１および第２の情報は、暗号化されており、前記制御手段は、前記暗号化された第１および第２の情報を復号化する復号化手段を備えていることを特徴とする。
また、前記制御手段は、前記印刷許可を第１の電子メールを用いて要求し、前記第１の受付手段は、前記第１の電子メールにより前記許可要求を受付け、前記返信手段は、前記返答を第２の電子メールを用いて返信し、前記第２の受付手段は、前記第２の電子メールにより前記返答を受付けることを特徴とする。
【００１０】
本発明に係る印刷装置は、少なくとも１つの端末装置とネットワークを介して接続される印刷装置であって、印刷に供されるデータに、当該印刷を許可されている許可者に関する第１の情報が付随されたファイルを取得する第１の取得手段と、前記ファイルに対する印刷の指示者に関する第２の情報を取得する第２の取得手段と、印刷手段と、取得された第１と第２の情報に基づいて、前記印刷の許否を判断し、許可しないことを判断すると前記印刷手段に前記印刷を実行させず、前記少なくとも１つの端末装置の内の前記許可者に供される端末装置に印刷許可を要求する制御手段と、を備えることを特徴とする。
【００１１】
また、前記端末装置からの、前記印刷許可の要求に対する返答を受付ける受付手段を備え、前記制御手段は、返答が印刷の許可を示すものである場合には、前記印刷手段に前記印刷を実行させることを特徴とする。
【発明の効果】
【００１２】
このように、第１と第２の情報に基づいて、印刷の許否を判断し、許可しないことを判断すると印刷を実行させず、許可者に供される端末装置に印刷許可を要求するようにしている。したがって、当該許可者にとっては、他の無許可のユーザに無断で印刷されるといったことがなくなると共に印刷されようとしていることを知ることが可能になり、もって適正なファイル管理を行うことが可能になる。また、他の一般ユーザにとっては、当該ファイルを例えばダウンロード等で入手し、その印刷を当該許可者に許可をもらえば行うことが可能になり、その点でファイル共有の利便性をも享受できるという効果を奏する。
【００１３】
また、返答が印刷の許可を示すものである場合に印刷が実行されるので、許可者による許可があれば、印刷の指示者は、当該ファイルの印刷物を得ることができる。
さらに、返答が印刷の許可を示さないものである場合には、ファイルを破棄するので、印刷に供されることのないファイルが残存したままになるといったことを防止できる。
また、第１および第２の情報が暗号化されるので、第１の情報等が漏洩するおそれがなくなる。
【００１４】
さらに、一般に使用される電子メールにより許可要求等を通信するので、通信手段を簡単に構成できる。
【発明を実施するための最良の形態】
【００１５】
以下、本発明に係る印刷システムおよび印刷装置の実施の形態を、図面を参照しながら説明する。
（１）印刷システムの全体構成
図１は、印刷システム１の全体構成を示す図である。
同図に示すように、印刷システム１は、端末装置１０、２０・・と、画像形成装置３０と、メールサーバ４０と、認証サーバ５０等が、ネットワーク、ここではLAN（Local Area Network）２を介してTCP/IP(Transmission Control Protocol/Internet Protocol)を用いて接続されて構成され、互いに各種データのやりとりが可能になっている。
【００１６】
印刷装置としての画像形成装置３０は、多機能デジタル複写機（Multiple Function Peripheral）であり、セットされた原稿の画像を読み取って画像データを得るスキャンジョブ、その画像データに基づいて原稿画像を印刷（プリント）するコピージョブ、端末装置２０等の外部端末からの印刷の実行指示を受付けて印刷を行うプリントジョブ等の各種ジョブを実行する機能を有する。
【００１７】
端末装置１０は、パーソナルコンピュータ（ＰＣ）からなり、文書等の作成のためのアプリケーションソフトウエア（以下、「アプリケーション」という。）がインストールされており、ユーザは当該アプリケーションにより文書等のファイルを作成することができる。また、ユーザから当該アプリケーションを介してファイルの印刷指示を受付けると、画像形成装置３０に当該ファイルの印刷を指示してプリントジョブを実行させる。この構成は、端末装置２０、その他の端末装置についても同様である。
【００１８】
認証サーバ５０は、端末装置１０、２０等を使用しているユーザの認証を行うサーバである。
端末装置１０、２０等、画像形成装置３０のそれぞれは、メールサーバ４０を介して電子メール（以下、単に「メール」という。）の送受信を行う機能を有している。ここでは、メール送受信に、公知のSMTP (Simple Mail Transfer Protocol)およびPOP3(Post Office Protocol 3)が用いられる。
【００１９】
このような構成の印刷システム１において実行される処理内容の概要を説明すると、端末装置、例えば２０から画像形成装置３０に、あるファイルの印刷の実行指示がなされると（図中のi）、画像形成装置３０において、印刷の対象となっているファイルの作成者
と、印刷を指示した指示者とが同一であるか否かが判断される。ここで、同一であることが判断されると、画像形成装置３０において当該ファイルの印刷が実行される。
【００２０】
一方、同一でないことが判断されると、画像形成装置３０から、当該作成者に供される端末装置、例えば１０に印刷の許可を求める印刷許可要求メールが送られる（図中のii）
。当該作成者は、端末装置１０において当該印刷の要求に対する許否を返答メールで画像形成装置３０に伝えることができる。返答メールが端末装置１０から画像形成装置３０に送られ（図中のiii）、その返答メールに印刷許可が示される場合には、画像形成装置３０において印刷が実行され、不許可が示される場合には印刷が実行されないものである。
【００２１】
これにより、当該作成者は、自己のファイルが他のユーザにより印刷されようとしている場合、印刷許可要求メールによりだれが印刷を実行しようとしているのかを知ることができ、かつその許否を選択することが可能になり、無許可のユーザに無断で印刷されるといったことを防止できる。なお、上記作成者は、自己のファイルに対する印刷については当該印刷を許可されている許可者であると共に、他のユーザに対しては当該印刷の許否権限を有している権利者でもあるので、ここでは統一して「権利者」ということにする。
【００２２】
以下、各装置について詳しく説明するが、端末装置１０、２０等については同じ構成なので、端末装置１０について説明し、他の端末装置についてはその説明を省略するものとする。また、メールサーバ４０は公知のものなので、ここではその説明を省略する。
（２）端末装置１０
図２は、端末装置１０の構成を示すブロック図である。
【００２３】
同図に示すように、端末装置１０は、主な構成要素として、制御部１１、通信インターフェース（Ｉ／Ｆ）部１２、メール送受信部１３、ディスプレイ１４、キーボード１５、ハードディスクドライブ（ＨＤＤ）１６およびメール生成部１７を備えている。
通信Ｉ／Ｆ部１２は、ＬＡＮカード、ＬＡＮボードといったＬＡＮ２に接続するためのインターフェースである。
【００２４】
メール送受信部１３は、通信Ｉ／Ｆ部１２を介して、外部装置、例えば画像形成装置３０から印刷許可要求メール等を受信して、受信したメールに含まれる情報を制御部１１に送る。また、メール生成部１７により生成されたメールを指定の宛先に通信Ｉ／Ｆ部１２を介して送信する。
ＨＤＤ１６には、ＯＳ（オペレーティングシステム）やアプリケーション、画像形成装置３０をプリンタとして用いるときの印刷制御のためのプリンタドライバおよび文書等のファイルの各種データが格納されている。
【００２５】
メール生成部１７は、制御部１１からの指示により、上記返答メール等を生成する。
制御部１１は、ＣＰＵ等を備え、ディスプレイ１４の表示内容の制御、キーボード１５からの入力情報の受付け等を行うと共に、ＯＳ、アプリケーション、プリンタドライバ等の機能を実行する。
端末装置１０の制御部１１等の各構成要素は、他の端末装置２０等においても基本的に同じものが使用されるので、他の端末装置の構成要素についても端末装置１０と同符号を用いて説明し、特に端末装置１０と他の端末装置を区別して説明する場合には、以下「端末装置２０の制御部１１」等と表記することとする。
【００２６】
（３）画像形成装置３０
図３は、画像形成装置３０の構成を示すブロック図である。
同図に示すように、画像形成装置３０は、主な構成要素として、制御部３１、通信インターフェース（Ｉ／Ｆ）部３２、メール送受信部３３、イメージリーダ部３４、プリンタ部３５、画像メモリ３６、ジョブ管理テーブル３７、操作パネル３８およびメール生成部３９を備えている。
【００２７】
通信Ｉ／Ｆ部３２とメール送受信部３３は、上記通信Ｉ／Ｆ部１２とメール送受信部１３と同様の動作を行う。
イメージリーダ部３４は、セットされた原稿の画像を読み取って画像データを得る公知の装置である。また、プリンタ部３５は、公知の電子写真方式により、イメージリーダ部３４で読み取られた原稿の画像データ、端末装置２０等から送られて来る印刷に供されるデータに基づいて画像を用紙にプリント（印刷）する印刷手段として機能する。
【００２８】
画像メモリ３６には、画像データ等が格納される。
ジョブ管理テーブル３７は、ＥＥＰＲＯＭ等の不揮発性メモリ内に設けられており、コピー、プリント等のジョブのジョブ番号、実行状況等を示す情報が制御部１１により書き込まれ、ジョブ全体を管理するのに用いられる。このジョブ管理テーブル３７の構成例については、後述する。
【００２９】
操作パネル３８は、ここでは図示を省略しているが、コピースタートボタンやコピー枚数設定用のテンキーなどの他、表面にタッチパネルが積層された液晶表示部が設けられており、制御部３１の指示により必要な画面を表示させると共に、ユーザによるテンキー等の入力、タッチ入力等を受付けて、受付けた入力情報を制御部１１に伝える。
メール生成部３９は、制御部３１からの指示により印刷許可要求メールを生成する。
【００３０】
（４）認証サーバ５０
認証サーバ５０は、ここでは図示していないが、ＬＡＮ２に接続されている全端末装置を利用する各ユーザについて、当該ユーザがどの部門（例えば、開発部、営業部等）に所属しているのかを示す情報、具体的にはユーザＩＤと部門名とを対応付けた認証用テーブルを保持している。
【００３１】
そして、画像形成装置３０からユーザ認証の依頼として、印刷を指示したユーザのユーザＩＤと印刷許可範囲、具体的には印刷を許可しても良いユーザの所属部門名（後述）を示す情報が送られてくると、上記認証用テーブルを参照し、印刷を指示したユーザがどの部門に所属しており、その所属している部門が印刷許可範囲として示される所属部門名と一致しているか否かを判断する。一致していることを判断すると、ユーザ認証できたことを、一致していないことを判断すると、ユーザ認証できなかったことを認証結果として画像形成装置３０に通知するものである。なお、ユーザの所属部門等を管理する方法としては、例えば公知のアクティブディレクトリーを利用する方法も考えられる。
【００３２】
（５）端末装置の処理内容
（５−１）権利者情報の登録処理
本印刷システム１は、端末装置で作成されたファイルがどこに転送されても当該ファイルの権利者がだれであるかが判るように、当該ファイルに権利者のユーザＩＤ等を含む情報（権利者に関する情報。以下、「権利者情報」という。）が組み込まれるようになっている。
【００３３】
この権利者情報のファイルへの組み込み（登録）の処理は、各端末装置において行われる。ここでは、ユーザＡが利用する端末装置１０においてアプリケーションにより文書等のファイル（ファイル名：ＡＡＡ）が作成され、作成されたファイルに権利者情報が登録される場合の例を説明する。
図４は、権利者情報の登録処理の内容を示すフローチャートである。
【００３４】
同図に示すように、端末装置１０の制御部１１は、まず新規登録であるか否かを判断する（ステップＳ１）。この判断は、当該ファイルに権利者情報が付随されているか否かにより行われる。具体的には、当該ファイルのヘッダ部（図６参照）の所定の格納位置に権利者情報としての所定の暗号化された情報が存在するか否かにより判断される。ここでは、まず権利者情報が付随されていない、すなわち新規登録である場合の例を説明する。
【００３５】
新規登録であることを判断すると（ステップＳ１で「ＹＥＳ」）、権利者情報入力受付画面を端末装置１０のディスプレイに１４に表示させる（ステップＳ２）。
図５は、権利者情報入力受付画面２１の表示例を示す図である。
同図に示すように、権利者情報入力受付画面２１には、ファイル名、ユーザＩＤ、パスワード、印刷許可範囲およびアドレスの各項目が設けられている。
【００３６】
ここで、ファイル名欄には、印刷対象とされるファイルのファイル名、ここでは「ＡＡＡ」が自動的に表示される。
ユーザＩＤとパスワード欄は、当該ファイルの権利者を示す識別番号としてのＩＤと当該ＩＤに対応するパスワードを入力するための欄である。ここでは、ユーザＡのＩＤとして「１１１１」、パスワードとして「２２２２」がユーザＡにより入力された場合の例が示されている。
【００３７】
印刷許可範囲欄は、当該ファイルの印刷を許可しても良いユーザの範囲、例えば所属部門名を入力するための欄である。この欄に入力された所属部門のユーザは、後述のように認証サーバ５０により印刷が許可される者として認証されることになり、その意味で権利者でなくとも規制を受けることなく当該ファイルの印刷を可能にさせるものである。ここでは所属部門名として、「開発部」が入力された例が示されている。
【００３８】
アドレス欄は、自己（ユーザＡ）のメールアドレスを入力するための欄である。このアドレスは、画像形成装置３０から送信される印刷許可要求メールの宛先として用いられる。ユーザＡは、権利者情報入力受付画面２１上において端末装置１０のキーボード１５のキー等を用いて、各欄に必要な情報を入力することができる。
図４に戻って、ステップＳ３では、権利者情報入力受付画面２１においてユーザＡからの権利者情報の入力を受付ける。
【００３９】
そして、ユーザＡにより権利者情報入力受付画面２１のボタン２１１がマウス等によりクリックされると、権利者情報の入力が完了したと判断し（ステップＳ４で「ＹＥＳ」）、入力された権利者情報を所定の暗号化の方法を用いて暗号化した後（ステップＳ５）、暗号化された権利者情報を当該ファイルに書き込む（登録する）処理を行って（ステップＳ６）、当該権利者情報の登録処理を終了する。
【００４０】
図６は、権利者情報が登録されたファイルの構成例を模式的に示した図である。
同図に示すように、当該ファイルは、ヘッダ部と、文書情報からなるデータ部とを有し、当該ヘッダ部に権利者情報が含まれる構成になっている。権利者情報としてのユーザＩＤ、パスワード等は、それぞれがヘッダ部内の予め決められた格納位置（ライン等）に書き込まれるようになっている。なお、同図では、権利者情報の内容が判るようにあえて暗号化されていない状態を示している。実際には、各内容が暗号化されたものになる。また、暗号化後の情報が権利者情報であることを識別できるようにするため、暗号化された情報の前後に、暗号化していない所定の記号、ここでは「」（不図示）を記述するようにしている。
【００４１】
図４に戻って、ステップＳ１で新規登録ではない、すなわち当該ファイルのヘッダ部内の所定の格納位置に所定の記号、ここでは「」で挟まれた情報があることを判断すると、ステップＳ９に移り、当該ファイルに付随されている権利者情報を抽出する処理を行う。そして、パスワードの入力受付画面（不図示）を端末装置１０のディスプレイに１４に表示させ、パスワードの入力を受付ける（ステップＳ１０）。
【００４２】
このパスワードは、権利者情報の更新を許可するか否かを判断するためのものであり、ここでは現在の権利者情報として登録されているパスワード（図５の例では「２２２２」）と同じコードが入力されたときにだけ更新の許可が判断されるようになっている。したがって、パスワードを知っていなければ権利者情報を更新できないことになり、実質、当該ファイルの作成者（ここでは、ユーザＡ）だけが更新を行えることになる。
【００４３】
パスワードが一致したことを判断すると（ステップＳ１１で「ＹＥＳ」）、権利者情報更新受付画面（不図示）を表示させる（ステップＳ１２）。この権利者情報更新受付画面は、図５に示す権利者情報入力受付画面２１と同様の構成のものであり現に登録されている権利者情報が各欄に表示される。ユーザＡは、当該権利者情報更新受付画面において、パスワード等の各情報を修正、追加、削除等を行うことができる。例えば、ユーザＩＤ、パスワードの各欄に自己以外の他のユーザのユーザＩＤ、パスワードを追記することも可能である。これにより、権利者となるユーザは、作成者に限られないということになる。
【００４４】
権利者情報更新受付画面の完了ボタンがクリックされると、権利者情報の更新が完了したと判断し（ステップＳ１４で「ＹＥＳ」）、ステップＳ５に移る。
一方、パスワードが不一致であることを判断すると（ステップＳ１１で「ＮＯ」）、入力間違いが３回以上であるか否かを判断する（ステップＳ１５）。この判断は、例えばステップＳ１１で「ＮＯ」と判断された回数を計数し、その計数値を参照することで行うことが出来る。３回未満、すなわち１または２回であることを判断すると（ステップＳ１５で「ＮＯ」）、パスワードの再入力要求画面（不図示）を表示させて（ステップＳ１６）、ステップＳ１０に戻り、ユーザＡからの再入力を待つ。
【００４５】
パスワードの再入力がなされ、パスワードが一致したことを判断すると（ステップＳ１１で「ＹＥＳ」）、ステップＳ１２に移る。一方、パスワードが不一致であることを判断すると（ステップＳ１１で「ＮＯ」）、再度ステップＳ１５に戻る。このステップＳ１０、Ｓ１１、Ｓ１５、Ｓ１６の処理を繰り返し、入力間違いが３回に達したことを判断すると（ステップＳ１５で「ＹＥＳ」）、登録失敗を示すメッセージをディスプレイ１５に表示させて（ステップＳ１７）、当該処理を終了する。その際、上記計数値が「０」にリセットされる。
【００４６】
（５−２）印刷の指示処理
この処理は、端末装置においてユーザからあるファイルの印刷の指示がなされた際に実行される処理である。ここでは、端末装置２０を利用するユーザＢが上記ファイル（権利者情報が付随されたもの）をダウンロード等により入手し、端末装置２０においてユーザＢから当該ファイルに対する印刷の指示がなされた場合の例を図７を用いて説明する。
【００４７】
同図に示すように、まず、端末装置２０の制御部１１は、印刷対象となっているファイルに権利者情報が付随されているか否かを判断する（ステップＳ２１）。この判断は、当該ファイルのヘッダ部内の所定の格納位置に上記所定の記号、ここでは「」で挟まれた情報が存在するか否かにより行われる。
権利者情報が付随されていると判断すると（ステップＳ２１で「ＹＥＳ」）、ステップＳ２２に移る。
【００４８】
ステップＳ２２では、印刷指示者情報入力受付画面を端末装置２０のディスプレイ１４に表示させる。
図８は、印刷指示者情報入力受付画面２２の表示例を示す図である。
同図に示すように、印刷指示者情報入力受付画面２２には、ユーザＩＤとパスワードの各項目が設けられている。
【００４９】
ユーザＩＤとパスワードの各欄は、当該印刷の実行を指示する指示者を示す識別番号としてのＩＤと当該ＩＤに対応するパスワードを入力するための欄である。ここでは、ユーザＢのＩＤとして「８８８８」、パスワードとして「９９９９」がユーザＢにより入力された場合の例が示されている。ユーザＢは、当該画面２２上において端末装置２０のキーボード１５のキー等を用いて、各欄に必要な情報を入力することができる。
【００５０】
図７に戻って、ステップＳ２３では、印刷指示者情報入力受付画面２２においてユーザＢからの入力を受付ける。
そして、ユーザＢにより印刷指示者情報入力受付画面２２のボタン２２１がクリックされると入力完了と判断し（ステップＳ２３で「ＹＥＳ」）、入力されたユーザＩＤ等の情報を当該ファイルに対する印刷の指示者に関する情報（以下、「印刷指示者情報」という。）として、所定の暗号化の方法を用いて暗号化した後（ステップ２４）、暗号化された印刷指示者情報を当該ファイルに書き込む（登録する）処理を行う（ステップＳ２５）。
【００５１】
図９は、印刷指示者情報が登録されたファイルの構成例を模式的に示した図である。
同図に示すように、ヘッダ部に印刷指示者情報が追加される構成になっている。これにより、ヘッダ部には、暗号化された権利者情報と印刷指示者情報とが含まれることになる。なお、印刷指示者情報としてのユーザＩＤ、パスワード等は、権利者情報と同様に、それぞれがヘッダ部内の予め決められた位置に書き込まれるようになっている。なお、同図では、権利者情報および印刷指示者情報の内容が判るようにあえて暗号化されていない状態を示している。実際には、各内容が暗号化されたものになる。また、暗号化後の印刷指示者情報であることを識別できるようにするため、暗号化された情報の前後に、暗号化していない所定の記号、ここでは＜＞（不図示）を記述するようにしている。
【００５２】
また、図示していないが、ヘッダ部には印刷に用いるべき用紙サイズ、印刷部数、ソート等の後処理の有無等を含む印刷情報も含まれている。
図７に戻って、端末装置２０の制御部１１は、画像形成装置３０に対し印刷の実行を指示して（ステップＳ２６）、当該処理を終了する。具体的には、当該ファイルのデータ部のデータを、印刷に供されるデータ、例えばＰＤＬ（Page Description Language）形式のデータに変換し、そのデータにヘッダ部の情報（権利者情報、印刷指示者情報、印刷情報等）が付随されてなるファイル（図９の例に示す構成と同様の構造のもの。以下、「プリントデータ」という。）を画像形成装置３０に送信するものである。
【００５３】
なお、ステップＳ２１において、ファイルに権利者情報が付随されていないことを判断すると（ステップＳ２１で「ＮＯ」）、当該ファイルが印刷の制限を受けない、換言すれば自由に印刷を行えるファイルであるとして、そのままステップＳ２６に移り、画像形成装置３０に印刷の実行指示を行う。
（６）印刷の実行指示を受付けた画像形成装置３０において実行される処理
図１０は、画像形成装置３０において印刷の実行指示を受付けたとき（プリントデータを受信したとき）に実行される処理の内容を示すフローチャートである。ここでは、端末装置２０からのプリントデータを受信した場合の例を説明する。
【００５４】
同図に示すように、プリントデータを受信すると（ステップＳ３１）、受信したプリントデータを画像メモリ３６に一旦格納すると共に権利者情報が含まれているか否かを判断する（ステップＳ３２）。この判断は、プリントデータのヘッダ部内の所定の格納位置に所定の記号の「」で挟まれた情報が存在するか否かにより行われる。
権利者情報が含まれていることを判断すると（ステップＳ３２で「ＹＥＳ」）、当該所定の記号の「」に挟まれている部分の情報を復号化し、これを権利者情報として抽出する（ステップＳ３３）。
【００５５】
次に、印刷指示者情報が含まれているか否かを判断する（ステップＳ３４）。この判断は、当該ヘッダ部内の所定の格納位置に所定の記号の＜＞で挟まれた情報が存在するか否かにより行われる。
印刷指示者情報が含まれていることを判断すると（ステップＳ３４で「ＹＥＳ」）、当該所定の記号の＜＞に挟まれている部分の情報を復号化し、これを印刷指示者情報として抽出する（ステップＳ３５）。この意味で、制御部３１は、ステップＳ３１、３３等の処理を実行する場合に、印刷に供されるデータに権利者情報（第１の情報）が付随されたファイルを取得する第１の取得手段として機能し、ステップＳ３１、Ｓ３５等の処理を実行する場合に、印刷指示者情報（第２の情報）を取得する第２の取得手段として機能するものといえる。また、ステップＳ３３、Ｓ３５等の処理を実行する場合に、暗号化された権利者情報、印刷指示者情報を復号化する復号化手段として機能する。
【００５６】
次に、印刷指示者が権利者と一致しているか否かを判断する（ステップＳ３６）。具体的には、権利者情報に示されるユーザ（権利者）のユーザＩＤとパスワードの中に、印刷指示者情報に示されるユーザ（指示者）のユーザＩＤとパスワードが含まれているか否かを判断する。図９に示す例の場合、一致していないことが判断される。上記したように、権利者情報には、権利者として、ファイル作成者以外にも印刷を許否できる権限を有する者を登録できるようになっており、複数ユーザが登録されている場合には、印刷指示者がその複数ユーザの中に含まれているか否かにより判断されることになる。
【００５７】
印刷指示者が権利者と一致していることを判断すると（ステップＳ３６で「ＹＥＳ」）、上記プリントデータを画像メモリ３６から読み出して、当該プリントデータに含まれる印刷情報に基づく印刷（プリントジョブ）を実行し（ステップＳ４１）、当該処理を終了する。
一方、印刷指示者が権利者と一致していないことを判断すると（ステップＳ３６で「ＮＯ」）、印刷指示者が印刷許可範囲に入っているか否かの認証を認証サーバ５０に依頼する（ステップＳ３７）。
【００５８】
具体的には、プリントデータのヘッダ部に含まれている印刷指示者を示すユーザＩＤ（図９の例では、「８８８８」）と印刷許可範囲（図９の例では、「開発部」）を示す情報を認証サーバ５０に送る。認証サーバ５０では、上記したように自己の認証用テーブルからユーザＩＤ「８８８８」のユーザの所属部門が判別される。そして、判別された所属部門が印刷許可範囲としての「開発部」であることが判断されると、ユーザ認証できたことが認証サーバ５０から認証結果として画像形成装置３０に通知される。一方、開発部ではない、すなわちユーザＩＤ「８８８８」のユーザの所属部門が開発部以外の部門、例えば営業部等であることが判ると、認証できないことが通知される。
【００５９】
画像形成装置３０は、当該認証結果に基づきユーザ認証されたことを判断すると（ステップＳ３８で「ＹＥＳ」）、ステップＳ４１に移り、プリントジョブを実行する。
ユーザ認証されなかったことを判断すると（ステップＳ３８で「ＮＯ」）、印刷許可要求メールを作成し、これを権利者に送信する処理を行う（ステップＳ３９）。
図１１は、印刷許可要求メールの構成例を示す図である。
【００６０】
同図に示すように、印刷許可要求メールのヘッダ部には、プリントジョブのジョブ番号、ここでは「００００１」を示す情報が含まれている。このジョブ番号は、ジョブが発生する毎に当該ジョブに付される番号である。
ボディ部の上段２３には、印刷の対象とされているファイル、すなわち印刷の許可を求められる対象となっているファイルのファイル名、ここでは「ＡＡＡ」と、印刷を指示したユーザを識別するためのユーザＩＤ、ここでは「８８８８」とが書き込まれている。ボディ部の中段２４には、印刷指示者が印刷の許可を求めている旨を示すメッセージと、権利者に対し許可する場合と許可しない場合の対応方法を示すメッセージが書き込まれている。ボディ部の下段２５には、権利者に対し、権利者のユーザＩＤとパスワードを入力するための入力欄が設けられている。この印刷許可要求メールは、制御部３１の指示を受けてメール生成部３９において生成される。
【００６１】
具体的には、制御部３１は、権利者情報のファイル名欄からファイル名を、アドレス欄から権利者のアドレスを、印刷指示者情報から印刷指示者のユーザＩＤをそれぞれ抽出し、抽出した情報と、ジョブ番号を示す情報とをメール生成部３９に送る。
メール生成部３９は、制御部３１からの情報を受付けると、ヘッダ部にジョブ番号を、ボディ部の上段２３の印刷許可要求ファイル名欄に当該ファイル名を、ユーザＩＤ欄に当該印刷指示者のユーザＩＤを書き込むと共に、中段２４と下段２５に上記メッセージや入力欄を書き込み、かつ宛先を当該権利者のアドレスとしたメール、より具体的にはヘッダ部の「from」フィールド（不図示）に自己のメールアドレスが記述され、「To」フィールド（不図示）に当該権利者のアドレス、ここでは端末装置１０のメールアドレスが記述されたメールを印刷許可要求メールとして生成する。生成された印刷許可要求メールは、メール送受信部３３、通信インターフェース部３２を介して送信される。
【００６２】
図１０に戻って、ステップＳ４０では、当該プリントジョブを許可待ち状態にして待機し、当該処理を終了する。制御部３１は、当該ジョブが許可待ち状態であることをジョブ管理テーブル３７に書き込む。
図１２は、ジョブ管理テーブル３７の構成例を示す図である。
同図に示すように、ジョブ管理テーブル３７には、ジョブ番号欄、ファイル名欄、印刷指示者情報欄、権利者情報欄および状態欄が設けられている。
【００６３】
ジョブ番号欄には、新たなジョブ、例えばプリントジョブが発生する毎にその発生順を示す番号、００００１、００００２・・・（連番）がジョブ番号として付され、その番号を示す新たなレコードが順次追加されて行く。
ファイル名欄と権利者情報欄には、端末装置からのプリントデータのヘッダ部に含まれる権利者情報の各情報が記述され、印刷指示者情報欄には、当該プリントデータのヘッダ部に含まれる印刷指示者情報が記述される。
【００６４】
そして、状態欄には、発生した各ジョブに対する現在の状況が記述される。同図の例の許可待ちは、印刷許可要求メールに対する権利者からの回答メールを待っている状態を示している。他の例としては、例えば印刷中であれば「印刷中」、印刷完了済みであれば「完了」、用紙詰まりのために停止中であれば「停止中」等が記述される。なお、端末装置からの印刷指示に基づくプリントジョブ以外のジョブ、例えばコピー、スキャン等のジョブの場合には、ファイル名、印刷指示者情報、権利者情報が取得されないので、該当欄は、空欄とされる。
【００６５】
各欄への記述、更新は、制御部３１により実行され、制御部３１は、ジョブ管理テーブル３７の各欄に記述されている情報を参照することにより、どの（何番の）ジョブがどのような状態にあるか、またプリントジョブの場合、印刷対象ファイルがどのファイル名のものであり、そのファイルの権利者がどのユーザで、印刷を指示した（印刷を行うとしている）ユーザがどのユーザであるのかを知ることができる。なお、各欄の情報の更新は、所定間隔、例えば１分おきに実行される。
【００６６】
図１０に戻って、ステップＳ３４で当該ファイルに印刷指示者情報が含まれていないことを判断すると、印刷許可の要求ができないとして、当該プリントジョブを削除、具体的には、画像メモリ３６に格納されている当該プリントジョブに対応するプリントデータを消去して（ステップＳ４２）、当該処理を終了する。
（７）印刷許可要求メールを受信した端末装置において実行される処理
図１３は、印刷許可要求メールを受信した端末装置、ここでは端末装置１０において実行される処理内容を示すフローチャートである。
【００６７】
同図に示すように、端末装置１０は、画像形成装置３０からの印刷許可要求メールを受信すると（ステップＳ５１）、受信した印刷許可要求メールのボディ部の記述内容をディスプレイ１４に表示させる（ステップＳ５２）。ここでは、図１１のボディ部に示される上段２３から下段２５に示されるメッセージ、入力欄がそのまま表示されるものとする。以下、当該表示画面を、許可確認表示画面という。
【００６８】
端末装置１０は、ユーザ（権利者）からの入力受付ける（ステップＳ５３）。図１１の内容例の場合、権利者は、許可確認表示画面において、自己のファイル「ＡＡＡ」がユーザＩＤ「８８８８」のユーザにより印刷されようとしていることを目視により確認することができる。そして、権利者は、当該ユーザに対し印刷を許可しても良いと思う場合には、下段２５の入力欄に自己のユーザＩＤとパスワードを入力することができ、印刷を許可したくないと思う場合には、何も入力しないことを選択することができる。
【００６９】
許可確認表示画面に設けられた入力完了を示すボタン（不図示）がクリックされると、入力完了と判断して（ステップＳ５４で「ＹＥＳ」）、当該印刷許可要求メールの返答メッセージとしての返答メールを生成する（ステップＳ５５）。
具体的には、メール生成部１７は、制御部１１から許可確認表示画面において入力されたユーザＩＤ等の情報、または未入力であることを示す情報を受付けると、印刷許可要求メールに含まれるジョブ番号、ここでは「００００１」、およびユーザＩＤとパスワードが入力された場合には、入力されたユーザＩＤとパスワードを、未入力であった場合には、未記入であることをそれぞれ示す情報を含み、宛先を画像形成装置３０とする返答メッセージを返答メールとして生成するものである。ジョブ番号等の情報は、返答メールのヘッダ部またはボディ部のいずれに記述されても良いが、画像形成装置３０が当該メールを受信した際に当該情報を取り出せるようにしておく必要があるため、予め両者間でどこに記述されるのかを取り決めしておくことが必要である。
【００７０】
生成された返答メールをメール送受信部１３、通信Ｉ／Ｆ部１２を介して画像形成装置３０宛に送信し（ステップＳ５６）、当該処理を終了する。この意味で、制御部１１、メール生成部１７、メール送受信部１３等は、印刷の許可要求に対する返答を返信する返信手段として機能するものである。
（８）返答メールを受信した画像形成装置において実行される処理
図１４は、画像形成装置３０が返答メールを受信した際に実行する返答メール受信処理の内容を示すフローチャートである。
【００７１】
同図に示すように、返答メールを受信すると（ステップＳ６１）、返答メールに含まれるジョブ番号、ユーザＩＤおよびパスワードの情報を抽出する（ステップＳ６２）。
次に、ジョブ管理テーブル３７を参照して、抽出されたジョブ番号、上記の例では「００００１」に対応するジョブの権利者情報内のユーザＩＤとパスワード、上記の例では「８８８８」「９９９９」を読み出す（ステップＳ６３）。
【００７２】
そして、返答メールに含まれていたユーザＩＤとジョブ管理テーブル３７から読み出されたユーザＩＤ、および返答メールに含まれていたパスワードとジョブ管理テーブル３７から読み出されたパスワードがそれぞれ一致しているか否かを判断する（ステップＳ６４）。
ここで、一致していることを判断すると（ステップＳ６４で「ＹＥＳ」）、許可待ちにしていたプリントジョブの実行が許可されたとして、当該プリントジョブを実行し（ステップＳ６５）、当該処理を終了する。
【００７３】
一方、一致していないことを判断すると（ステップＳ６４で「ＮＯ」）、許可待ちにしていたプリントジョブを破棄して、ジョブ実行できなかった旨を当該ジョブの指示元、上記例では端末装置２０に通知して（ステップＳ６６）、当該処理を終了する。具体的には、画像メモリ３６に格納されている当該プリントジョブに対応するプリントデータを消去すると共に、ジョブ管理テーブル３７の状態欄に削除等を記述し、さらに印刷の許可がなされなかった旨を示すメッセージを印刷指示者に対しエラーとして通知するものである。このエラー通知としては、例えばメールを用いて行うことができる。
【００７４】
以上説明したように、本実施の形態では、画像形成装置３０は、印刷対象のファイルの権利者と印刷指示者とが不一致であると、印刷の許可を権利者に対し要求し、権利者により印刷が許可された場合にだけ印刷が実行されるようにしている。したがって、権利者にとっては、自己のファイルが無許可のユーザに無断で印刷されるといったことがなくなり、また他のユーザにとっては、当該権利者のファイルを例えばダウンロード等で入手し、その印刷を許可要求という処理を経れば行うことが可能であり、その点でファイル共有の利便性をも享受できるという効果を奏する。
【００７５】
さらに、権利者は、生成された返答メールを参照することにより、どのユーザに対し印刷を許可したかを管理でき、ファイルの印刷管理を適正に行うことが可能になる。また、受信した印刷許可要求メールの履歴から、どのユーザがいつ自己のファイルの印刷の実行を要求して来たかが判るので、例えば当該ファイルの印刷物を利用しなければ仕事を進めることができないような環境を想定した場合、どのユーザが、まだ印刷要求を行っていないかを管理すれば、当該印刷要求を行っていないユーザの仕事が実際には進んでいないといったことを推定することも可能となるであろう。
【００７６】
なお、本発明は、上記印刷システムに限られず、上記した印刷許可の要求方法、当該方法をコンピュータにより実現するプログラムであるとしても良い。また、本発明に係るプログラムは、例えば磁気テープ、フレキシブルディスク等の磁気ディスク、ＤＶＤ−ＲＯＭ、ＤＶＤ−ＲＡＭ、ＣＤ−ＲＯＭ、ＣＤ−Ｒ、ＭＯ、ＰＤなどの光記録媒体、フラッシュメモリ系記録媒体等、コンピュータ読み取り可能な各種記録媒体に記録することが可能であり、当該記録媒体の形態で生産、譲渡等がなされる場合もあるし、プログラムの形態でインターネットを含む有線、無線の各種ネットワーク、放送、電気通信回線、衛星通信等を介して伝送、供給される場合もある。
【００７７】
（９）変形例
以上、本発明を実施の形態に基づいて説明してきたが、本発明は、上述の実施の形態に限定されないのは勿論であり、以下のような変形例が考えられる。
（９−１）上記実施の形態では、画像形成装置３０から端末装置１０への印刷許可要求および端末装置１０から画像形成装置への当該要求に対する返答を、メールを利用して行うとしたが、許可要求等を装置間で送受信できるものであればメールに限定されることはなく、例えばＦＴＰ（File Transfer Protocol）等を利用することができる。
【００７８】
（９−２）上記実施の形態では、ユーザ（権利者、印刷指示者）の識別をユーザＩＤとパスワードの２つのコードを利用して行うとしたが、ユーザを特定できれば良く、１つのコード、例えばユーザＩＤだけを用いて各ユーザを特定することもできる。また、ユーザの特定という点からすれば、ユーザＩＤ、パスワードの代わりに、権利者、印刷指示者等の各ユーザに供される端末装置の識別コードを利用して、権利者に供される端末装置の識別コードと印刷指示者に供される端末装置の識別コードとが一致するか否かにより当該印刷指示者が印刷の許されているユーザか否かを判断する構成とすることも考えられる。
【００７９】
すなわち、権利者情報には、権利者を特定するための識別情報として、例えば権利者自身のユーザＩＤ、パスワードが含まれる構成であっても良いし、当該権利者に供される端末装置の識別コード等が含まれる構成であっても良いことになる。このことは、印刷指示者情報についても同様であり、いずれの構成としても上記印刷許否の判断を実現できるものである。
【００８０】
また、権利者を特定するための情報としては、権利者ではないユーザ（印刷が許可されていない不許可のユーザ）を示す識別コード等としても良い。この場合、不許可のユーザ以外のユーザを権利者として扱うようにすれば、権利者を特定することが可能になる。
（９−３）上記実施の形態では、権利者情報と印刷指示者情報を暗号化するとしたが、これに限定されず、例えば暗号化を行わない構成としても良い。
【００８１】
また、ネットワークとしては、上記ＬＡＮに限定されず、印刷指示や印刷許可要求等を行えるものであれば、有線、無線のいずれの方式であっても良いし、インターネット、ＷＡＮ等を用いる構成とすることもできる。そして、印刷装置としては、複写機に限られず、プリンタ、ＦＡＸ等に適用できる。さらに、上記では複数の端末装置がネットワークに接続される構成例を説明したが、印刷装置と少なくとも権利者に供される端末装置とが接続されるシステム構成であれば適用できる。また、上記では画像形成装置３０が、第１の情報が付随されたファイルおよび第２の情報を外部の端末装置２０から取得するとしたが、取得方法はこれに限定されず、例えば当該ファイルを画像形成装置３０自身に設けられたディスクドライブ等からの入力手段を介して取得するとしたり、第２の情報を操作パネルから受け付けて取得する構成とすることもできる。また、端末装置としては、ＰＣに限られず、例えば無線による携帯端末等を用いるとしても良い。また、上記実施の形態及び上記変形例をそれぞれ組み合わせるとしても良い。
【産業上の利用可能性】
【００８２】
本発明は、印刷を許可されたユーザからの指示に基づき印刷を実行する構成の印刷装置および印刷システムに広く適用できる。
【図面の簡単な説明】
【００８３】
【図１】印刷システム１の全体構成を示す図である。
【図２】印刷システム１に含まれる端末装置１０の構成を示すブロック図である。
【図３】印刷システム１に含まれる画像形成装置３０の構成を示すブロック図である。
【図４】端末装置１０において実行される権利者情報の登録処理の内容を示すフローチャートである。
【図５】端末装置１０のディスプレイに表示される権利者情報入力受付画面２１の表示例を示す図である。
【図６】権利者情報が登録されたファイルの構成例を模式的に示した図である。
【図７】印刷システム１に含まれる端末装置２０において実行される印刷の指示処理の内容を示すフローチャートである。
【図８】端末装置２０のディスプレイに表示される印刷指示者情報入力受付画面２２の表示例を示す図である。
【図９】印刷指示者情報が登録されたファイルの構成例を模式的に示した図である。
【図１０】画像形成装置３０において印刷の実行指示を受付けたときに実行される処理の内容を示すフローチャートである。
【図１１】画像形成装置３０から端末装置１０に送られる印刷許可要求メールの構成例を示す図である。
【図１２】画像形成装置３０に設けられるジョブ管理テーブル３７の構成例を示す図である。
【図１３】印刷許可要求メールを受信した端末装置１０において実行される処理内容を示すフローチャートである。
【図１４】画像形成装置３０が端末装置１０からの返答メールを受信した際に実行する返答メール受信処理の内容を示すフローチャートである。
【符号の説明】
【００８４】
１            印刷システム
２            ＬＡＮ
１０、２０      端末装置
１１、３１      制御部
１２、３２      通信インターフェース部
１３、３３      メール送受信部
３０            画像形成装置（印刷装置）
３５            プリンタ部
【図１】
2006110911.tif 000003
【図２】
2006110911.tif 000004
【図３】
2006110911.tif 000005
【図４】
2006110911.tif 000006
【図５】
2006110911.tif 000007
【図６】
2006110911.tif 000008
【図７】
2006110911.tif 000009
【図８】
2006110911.tif 000010
【図９】
2006110911.tif 000011
【図１０】
2006110911.tif 000012
【図１１】
2006110911.tif 000013
【図１２】
2006110911.tif 000014
【図１３】
2006110911.tif 000015
【図１４】
2006110911.tif 000016